(57)【要約】【課題】遮光部材の耐熱性を損なうことなく慣性モーメントを低減したシャッタ装置を提供する。【解決手段】シャッタ装置（１００）は、開口（１ａ）が形成されたシャッタ地板（１）と、開口を閉鎖する閉鎖状態と開口を開放する開放状態とに往復移動可能な第１の遮光部材（５）とを有し、第１の遮光部材は、所定の状態において、開口から露出する第１の遮光幕（５２〜５４）と、開口から露出しない第２の遮光幕（５１）とを有し、第１の遮光幕と第２の遮光幕は、互いに異なる密度を有する。【選択図】図１０
2020086257.tif 000002
【特許請求の範囲】
【請求項１】
開口が形成されたシャッタ地板と、
前記開口を閉鎖する閉鎖状態と前記開口を開放する開放状態とに往復移動可能な第１の遮光部材と、を有し、
前記第１の遮光部材は、所定の状態において、前記開口から露出する第１の遮光幕と、前記開口から露出しない第２の遮光幕と、を有し、
前記第１の遮光幕と前記第２の遮光幕は、互いに異なる密度を有することを特徴とするシャッタ装置。
【請求項２】
前記第１の遮光幕は、前記第２の遮光幕よりも密度が高い材料からなることを特徴とする請求項１に記載のシャッタ装置。
【請求項３】
前記第１の遮光幕は、前記第２の遮光幕よりも耐熱性が高い材料からなることを特徴とする請求項１または２に記載のシャッタ装置。
【請求項４】
前記第１の遮光幕は、金属材料からなり、
前記第２の遮光幕は、樹脂材料からなることを特徴とする請求項１乃至３のいずれか１項に記載のシャッタ装置。
【請求項５】
前記閉鎖状態と前記開放状態との間の移動の際に、前記第１の遮光幕は、前記第２の遮光幕よりも移動距離が短いことを特徴とする請求項１乃至４のいずれか１項に記載のシャッタ装置。
【請求項６】
前記シャッタ装置は、電子先幕方式のシャッタ装置であることを特徴とする請求項１乃至５のいずれか１項に記載のシャッタ装置。
【請求項７】
前記閉鎖状態と前記開放状態とに往復移動可能な第２の遮光部材を更に有し、
前記第２の遮光部材は、前記所定の状態において、前記開口から露出する第３の遮光幕と、前記開口から露出しない第４の遮光幕と、を有し、
前記第３の遮光幕と前記第４の遮光幕は、互いに異なる密度を有することを特徴とする請求項１乃至５のいずれか１項に記載のシャッタ装置。
【請求項８】
前記第３の遮光幕は、前記第４の遮光幕よりも密度が高くかつ耐熱性が高い材料からなることを特徴とする請求項７に記載のシャッタ装置。
【請求項９】
前記閉鎖状態と前記開放状態との間の移動の際に、前記第３の遮光幕は、前記第４の遮光幕よりも移動距離が長いことを特徴とする請求項７または８に記載のシャッタ装置。
【請求項１０】
前記所定の状態において、前記第１の遮光部材の前記第１の遮光幕および前記第２の遮光部材の前記第３の遮光幕により、前記開口が閉鎖されていることを特徴とする請求項７乃至９のいずれか１項に記載のシャッタ装置。
【請求項１１】
前記所定の状態において、前記第１の遮光部材の前記第２の遮光幕および前記第２の遮光部材の前記第４の遮光幕は、前記開口から露出していないことを特徴とする請求項７乃至１０のいずれか１項に記載のシャッタ装置。
【請求項１２】
前記所定の状態は、撮像装置の電源がオフの状態であることを特徴とする請求項１乃至１１のいずれか１項に記載のシャッタ装置。
【請求項１３】
請求項１乃至１２のいずれか１項に記載のシャッタ装置と、
撮像光学系を介して形成された光学像を光電変換する撮像素子と、を有することを特徴とする撮像装置。
【発明の詳細な説明】
【技術分野】
【０００１】
本発明は、シャッタ装置および撮像装置に関する。
【背景技術】
【０００２】
フォーカルプレンシャッタにおいて、羽根の駆動に必要なエネルギーを低減するため、羽根ユニットの慣性モーメントを小さくすることが要求される。例えば特許文献１には、駆動源と連結されて羽根と共に作動する２つのアームのうちの一方を金属材料から炭素繊維強化樹脂または合成樹脂に置き換えることで慣性モーメントを小さくしたフォーカルプレンシャッタが開示されている。
【０００３】
また、フォーカルプレンシャッタの遮光部材を構成する遮光幕は、レンズによる集光から撮像素子を保護するため、より高い耐熱性が要求される。このため、金属材料からなる遮光幕を用いて高い耐熱性を実現したフォーカルプレンシャッタが知られている。
【先行技術文献】
【特許文献】
【０００４】
【特許文献１】特開２０１７−０５４０２９号公報
【発明の概要】
【発明が解決しようとする課題】
【０００５】
しかしながら、耐熱性を高めるため、１つの遮光部材を構成する全ての遮光幕を金属材料で構成すると、遮光部材の慣性モーメントが大きくなってしまう。また、特許文献１に開示されたフォーカルプレンシャッタは、回転中心に近いアームの慣性モーメントを低減しているため、遮光部材の全体の慣性モーメントに対する寄与率は小さい。
【０００６】
そこで本発明の目的は、遮光部材の耐熱性を損なうことなく慣性モーメントを低減したシャッタ装置および撮像装置を提供することである。
【課題を解決するための手段】
【０００７】
本発明の一側面としてのシャッタ装置は、開口が形成されたシャッタ地板と、前記開口を閉鎖する閉鎖状態と前記開口を開放する開放状態とに往復移動可能な第１の遮光部材とを有し、前記第１の遮光部材は、所定の状態において、前記開口から露出する第１の遮光幕と、前記開口から露出しない第２の遮光幕とを有し、前記第１の遮光幕と前記第２の遮光幕は、互いに異なる密度を有する。
【０００８】
本発明の他の目的及び特徴は、以下の実施形態において説明される。
【発明の効果】
【０００９】
本発明によれば、遮光部材の耐熱性を損なうことなく慣性モーメントを低減することが可能となる。
【図面の簡単な説明】
【００１０】
【図１】本実施形態における撮像装置のブロック図である。
【図２】本実施形態におけるシャッタ装置を被写体側から見た平面図である。
【図３】本実施形態におけるシャッタ装置を撮像素子側から見た平面図である。
【図４】本実施形態におけるシャッタ装置のシャッタ地板、第１の羽根ユニット、および、第２の羽根ユニットの分解斜視図である。
【図５】本実施形態におけるシャッタ装置の第１の羽根ユニットおよび第２の羽根ユニットの回転軌跡の説明図である。
【図６】図２中のＡ−Ａ断面に沿った断面図である。
【図７】本実施形態におけるシャッタ装置の第１の駆動部材の斜視図である。
【図８】本実施形態におけるシャッタ装置の第２の駆動部材の斜視図である。
【図９】本実施形態におけるシャッタ装置のカムギアの斜視図である。
【図１０】本実施形態における撮像装置の電源がオフの場合のシャッタ装置の状態を示す図である。
【図１１】図１０中のＢ−Ｂ断面に沿った断面図である。
【図１２】本実施形態におけるシャッタ装置の撮影開始直前の状態を示す図である。
【図１３】本実施形態におけるシャッタ装置の第１の羽根が走行完了した状態を示す図である。
【図１４】本実施形態におけるシャッタ装置の第２の羽根が走行完了した状態を示す図である。
【発明を実施するための形態】
【００１１】
以下、本発明の実施形態について、図面を参照しながら詳細に説明する。
【００１２】
まず、図１を参照して、本実施形態における撮像装置４００について説明する。図１は、撮像装置４００のブロック図である。４０１は撮像レンズ（撮像光学系）、１００はフォーカルプレンシャッタ（シャッタ装置）、４０２は撮像素子である。フォーカルプレンシャッタ１００は、撮像素子４０２に対して物体側（被写体側）に配置されている。撮像レンズ４０１からの被写体光は、後述するフォーカルプレンシャッタ１００に設けられた開口１ａを通過し、撮像素子４０２に向かう。
【００１３】
４０９は、フォーカルプレンシャッタ１００を制御するシャッタ駆動回路である。フォーカルプレンシャッタ１００は、後述する第１の羽根ユニット５および第２の羽根ユニット６を有し、ＣＰＵ（制御手段）４１０によりシャッタ駆動回路４０９を介して駆動を制御される。またフォーカルプレンシャッタ１００は、不図示のモータおよび２つの電磁石を有し、それぞれシャッタ駆動回路４０９に含まれる不図示の駆動回路および制御回路により制御される。
【００１４】
４９８は撮影準備を開始するためのスイッチ（ＳＷ１）、４９９は撮影を開始するためのスイッチ（ＳＷ２）である。スイッチ（ＳＷ１）４９８とスイッチ（ＳＷ２）４９９は、２段スイッチとして構成されており、第１ストロークでスイッチ（ＳＷ１）４９８がオンし、第２ストロークでスイッチ（ＳＷ２）４９９がオンする。
【００１５】
撮像素子４０２は、ＣＭＯＳイメージセンサ等であり、被写体からの光を結像する撮像レンズ４０１を介して形成された被写体像（光学像）を光電変換する。撮像素子４０２により生成されたアナログ画像信号は、ＡＦＥ（Ａｎａｌｏｇ  Ｆｒｏｎｔ  Ｅｎｄ）４０３に出力される。ＡＦＥ４０３は、アナログ画像信号をデジタル画像信号に変換し、ＤＳＰ（Ｄｉｇｉｔａｌ  Ｓｉｇｎａｌ  Ｐｒｏｃｅｓｓｏｒ）４０４に出力される。ＤＳＰ４０４は、デジタル画像信号に対して各種の画像処理や圧縮・伸張処理等を行い、画像データを出力する。
【００１６】
記録媒体４０５は、ＤＳＰ４０４から出力された画像データを記録する。表示部４０６は、液晶ディスプレイ（ＬＣＤ）等であり、撮影した画像（画像データに基づく画像）や各種メニュー画面等を表示する。ＴＧ４０８は、タイミングジェネレータであり、撮像素子４０２の駆動を制御する。ＲＡＭ４０７は、ＤＳＰ４０４と接続されており、画像データ等を一時的に記憶する。
【００１７】
４９１はレンズ制御手段であり、撮像レンズ４０１の焦点距離、絞り径、射出瞳径、射出瞳と撮像素子４０２との間の距離等のレンズ情報をＣＰＵ４１０に出力するとともに、ＣＰＵ４１０による制御に応じて絞りや撮影レンズ４０１等を駆動する。各検出手段の検出結果は、ＣＰＵ４１０に入力される。ＣＰＵ４１０は、ＡＦＥ４０３、ＤＳＰ４０４、ＴＧ４０８、シャッタ駆動回路４０９、および、レンズ制御手段４９１を制御する。
【００１８】
次に、図２乃至図９を参照して、フォーカルプレンシャッタ（シャッタ装置）１００について説明する。図２は、フォーカルプレンシャッタ１００を被写体側から見た平面図である。図３はフォーカルプレンシャッタ１００を撮像素子４０２側から見た平面図である。図４は、シャッタ地板１、第１の羽根ユニット５、および、第２の羽根ユニット６の分解斜視図であり、図４（ａ）は被写体側から見た図、図４（ｂ）は撮像素子４０２から見た図をそれぞれ示す。
【００１９】
図２に示されるように、シャッタ地板１には軸１ｂ、軸１ｄが設けられており、第１の駆動部材２の穴２ｂが軸１ｂに、第２の駆動部材３の穴３ｂが軸１ｄに、それぞれ回転可能に支持されている。またシャッタ地板１には軸１ｆが設けられており、カムギア４の穴４ｂが回転可能に支持されている。カムギア４、第１の駆動部材２、および、第２の駆動部材３はそれぞれ、不図示のカバーが設けられているため、シャッタ地板１の軸１ｂ、１ｄ、１ｆから脱落することはない。
【００２０】
図３および図４（ｂ）に示されるように、第１の羽根ユニット（第１の遮光部材）５は、第１の羽根５１、第２の羽根５２、第３の羽根５３、第４の羽根５４、第１のアーム５５、第２のアーム５６、および、８つの連結軸５７を備えて構成されている。第１の羽根５１、第２の羽根５２、第３の羽根５３、および、第４の羽根５４にはそれぞれ連結軸５７が加締られており、第１のアーム５５および第２のアーム５６にそれぞれ設けられた穴に連結軸５７が回転可能に支持されている。第１のアーム５５の穴５５ａはシャッタ地板１に設けられた軸１ｇに、第２のアーム５６の穴５６ａはシャッタ地板１に設けられた軸１ｈにそれぞれ係合し、回転可能に支持されている。このような構成において、第１の羽根５１、第２の羽根５２、第３の羽根５３、および、第４の羽根５４は、第１のアーム５５が軸１ｇを中心に回転することにより、略平行に移動することができる。
【００２１】
同様に、図３および図４（ａ）に示されるように、第２の羽根ユニット（第２の遮光部材）６は、第１の羽根６１、第２の羽根６２、第３の羽根６３、第４の羽根６４、第１のアーム６５、第２のアーム６６、および、８つの連結軸６７を備えて構成されている。第１の羽根６１、第２の羽根６２、第３の羽根６３、および、第４の羽根６４にはそれぞれ連結軸６７が加締られており、第１のアーム６５および第２のアーム６６にそれぞれ設けられた穴に連結軸６７が回転可能に支持されている。第１のアーム６５の穴６５ａは、シャッタ地板１に設けられた軸１ｉに、第２のアーム６６の穴６６ａはシャッタ地板１に設けられた軸１ｊにそれぞれ係合し、回転可能に支持されている。このような構成において、第１の羽根６１、第２の羽根６２、第３の羽根６３、および、第４の羽根６４は、第１のアーム６５が軸１ｉを中心に回転することにより、略平行に移動することができる。
【００２２】
図５は、第１の羽根ユニット５および第２の羽根ユニット６の回転軌跡の説明図である。なお、第１の羽根ユニット５および第２の羽根ユニット６は同じ構成を有するため、これらを同時に説明する。第１のアーム５５または第１のアーム６５が回転することにより、連結軸５７または連結軸６７は、図５中の点線で示される位置まで移動する。回転中心となる穴５５ａまたは穴６５ａから連結軸５７または連結軸６７が遠い羽根ほど移動距離が大きくなり、慣性モーメントが大きくなる。
【００２３】
図６は、図２中のＡ−Ａ断面に沿った断面図である。図６に示されるように、第１の羽根ユニット５と第２の羽根ユニット６との間にはしきり板８が設けられており、第１の羽根ユニット５と撮像素子４０２との間にはカバー板９が設けられている。シャッタ地板１としきり板８とにより、第２の羽根ユニット６の羽根室が形成される。また、しきり板８とカバー板９とにより、第１の羽根ユニット５の羽根室が形成される。しきり板８とカバー板９にはそれぞれ、シャッタ地板１の開口１ａと類似の開口８ａ、９ａが形成されている。ただし、開口８ａ、９ａは、開口１ａよりも大きいため、被写体からの光は開口１ａにより規制される。
【００２４】
第１の羽根ユニット５において、第１の羽根５１は、第２の羽根５２、第３の羽根５３、および、第４の羽根５４のそれぞれよりも密度（質量）の小さい材料、例えば樹脂製の材料から構成されている。第１の羽根ユニット５の回転中心から羽根加締位置である連結軸５７までの距離が最も遠い第１の羽根５１を軽くすることで、第１の羽根ユニット５の慣性モーメントを低減することができる。第２の羽根ユニット６において、第２の羽根６２、第３の羽根６３、および、第４の羽根６４は、第１の羽根６１よりも密度（質量）の小さい材料、例えば樹脂製の材料から構成されている。これにより、第２の羽根ユニット６の慣性モーメントを低減することができる。
【００２５】
第１の羽根ユニット５において、第２の羽根５２、第３の羽根５３、および、第４の羽根５４は、第１の羽根５１よりも耐熱性が高い。また、第２の羽根ユニット６において、第１の羽根６１は、第２の羽根６２、第３の羽根６３、および、第４の羽根６４のそれぞれよりも耐熱性が高い。後述のように、第１の羽根ユニット５の第２の羽根５２、第３の羽根５３、および、第４の羽根５４と、第２の羽根ユニット６の第１の羽根６１の耐熱性を高める。これにより、撮像レンズ４０１による集光から撮像素子４０２を保護し、かつ羽根自身の集光による発熱への耐久性を高めることができる。耐熱性が高い材料は例えば金属であるが、これに限定されるものではなく、要求される耐熱性を実現可能であれば金属以外の材料を用いてもよい。
【００２６】
図７は、第１の駆動部材２の斜視図である。図７に示されるように、磁性材で構成されたアマチャ２１は、第１の駆動部材２に締結されたアマチャ軸２２により保持されている。後述のように、アマチャ２１は、第１の駆動部材２が図２および図３に示される位相（位置）にある場合、不図示の電磁石によって吸着される。
【００２７】
コロ２３は、第１の駆動部材２に回転可能に支持されており、第１の駆動部材２に固定されたコロカバー２４により、第１の駆動部材２からの脱落が防止される。後述のように、コロ２３がカムギア４のカム部４ｃに当接することで、第１の駆動部材２が駆動される。
【００２８】
第１の駆動部材２には、駆動ピン２ａが設けられている。駆動ピン２ａは、図２に示されるようにシャッタ地板１に設けられた円弧状の長孔１ｃを通過して、図３に示される第１の羽根ユニット５の第１のアーム５５に設けられた穴５５ｂと係合している。このような構成により、第１の羽根ユニット５は、第１の駆動部材２の回動に連動して駆動される。
【００２９】
図８は、第２の駆動部材３の斜視図である。図８に示されるように、磁性材で構成されたアマチャ３１は、第２の駆動部材３に締結されたアマチャ軸３２により保持されている。後述のように、アマチャ３１は、第２の駆動部材３が図２および図３に示される位相（位置）にある場合、不図示の電磁石によって吸着される。
【００３０】
コロ３３は、第２の駆動部材３に回転可能に支持されており、第２の駆動部材３に固定されたコロカバー３４により、第２の駆動部材３からの脱落が防止される。後述のように、コロ３３がカムギア４のカム部４ｄ、４ｅに当接することで、第２の駆動部材３が駆動される。
【００３１】
第２の駆動部材３には、駆動ピン３ａが設けられている。駆動ピン３ａは、図２に示されるようにシャッタ地板１に設けられた円弧状の長孔１ｅを通過して、図３に示される第２の羽根ユニット６の第１のアーム６５に設けられた穴６５ｂと係合している。このような構成により、第２の羽根ユニット６は、第２の駆動部材３の回動に連動して駆動される。
【００３２】
第１の駆動部材２および第２の駆動部材３はそれぞれ、不図示の駆動ばねにより、図２に示されるように、被写体側から見て時計回り方向に回転付勢されている。第１の駆動部材２は、シャッタ地板１に取り付けられたゴム部材７に駆動ピン２ａが当接する、カムギア４のカム部４ｃにコロ２３が当接する、または、アマチャ２１が不図示の電磁石によって吸着される、のいずれかで位置が規制される。第２の駆動部材３は、シャッタ地板１に取り付けられたゴム部材７に駆動ピン３ａが当接する、カムギア４のカム部４ｄ、４ｅにコロ３３が当接する、または、アマチャ３１が不図示の電磁石によって吸着される、のいずれかで位置が規制される。
【００３３】
図９は、カムギア４の斜視図である。図９に示されるように、カムギア４にはギア部４ａが設けられており、不図示のモータに連結することで回転駆動される。カムギア４が不図示のモータに回転駆動されることで、カム部４ｃは第１の駆動部材２に支持されたコロ２３を駆動し、カム部４ｄ、４ｅは第２の駆動部材３に支持されたコロ３３を駆動する。カム部４ｃと、カム部４ｄ、４ｅのそれぞれとは、カムギア４の回転軸方向に互いに異なる高さに配置されている。このため、カム部４ｃは第１の駆動部材２に支持されたコロ２３に当接せず、カム部４ｄ、４ｅは第２の駆動部材３に支持されたコロ３３に当接しない。
【００３４】
次に、図１０乃至図１４を参照して、フォーカルプレンシャッタ１００の動作について説明する。なお、図１０、図１２乃至図１４において、シャッタ地板１に関しては開口１ａのみを示し、シャッタ地板１を省略している。図１０は、撮像装置４００の電源がオフである場合におけるフォーカルプレンシャッタ１００の状態を示す図である。図１１は、図１０中の断面Ｂ−Ｂに沿った断面図である。
【００３５】
図１０に示されるように、第１の駆動部材２が不図示の駆動ばねによって時計回り方向に付勢され、コロ２３がカムギア４のカム部４ｃに当接することで、第１の羽根ユニット５は開口１ａを閉鎖した状態にある。また、第２の駆動部材３が不図示の駆動ばねにより時計回り方向に付勢され、コロ３３がカムギア４のカム部４ｄに当接することで、開口１ａから露出する第１の羽根ユニット５のうち第１の羽根５１は、第２の羽根ユニット６により覆われている（図１１参照）。すなわち、開口１ａを通過する光は、第２の羽根ユニット６により遮断され、第１の羽根５１にあたらない。このような構成により、開口１ａは、第１の羽根ユニット５の第２の羽根５２、第３の羽根５３、および、第４の羽根５４と、第２の羽根ユニット６の第１の羽根６１、すなわち耐熱性の高い材料からなる４枚の羽根のみで閉鎖される。
【００３６】
撮像装置４００の電源がオフの場合、撮像レンズ４０１の焦点位置は不定であるため、撮像素子４０２やフォーカルプレンシャッタ１００に集光している場合がある。その際、ユーザが誤って太陽光等の強い光源に撮像レンズ４０１を向けても、撮像素子４０２やフォーカルプレンシャッタ１００は耐熱性の高い材料で構成された羽根により保護される。
【００３７】
図１２は、撮像装置４００の撮影開始直前のフォーカルプレンシャッタ１００の状態を示す図である。図１３は、第１の羽根ユニット５が走行完了した状態を示す図である。図１４は、第２の羽根ユニット６が走行完了した状態を示す図である。なお、撮像装置４００の電源がオンになり不図示のモータがカムギア４を駆動することで、開口１ａを開放状態として撮像素子４０２を露出させるライブビュー状態は周知であるため、本実施例での説明は省略する。
【００３８】
図１０の状態から不図示のモータがカムギア４を時計回り方向に駆動し、カム部４ｅが第２の駆動部材３のコロ３３を押し上げ、第２の駆動部材３が反時計回り方向に回転すると、図１２の状態となる。このとき、撮像レンズ４０１の焦点位置制御および絞り動作は完了している。このため、第１の羽根ユニット５の第１の羽根５１が開口１ａから露出していても問題はない。
【００３９】
また、不図示の電磁石に通電して、第１の駆動部材２のアマチャ２１および第２の駆動部材３のアマチャ３１をそれぞれ吸着する。その後、カムギア４が不図示のモータに時計回り方向に駆動され、カム部４ｃは第１の駆動部材２のコロ２３から、カム部４ｅは第２の駆動部材３のコロ３３からそれぞれ退避した位相（位置）に移行する。このとき、第１の駆動部材２と第２の駆動部材３はそれぞれ、不図示の駆動ばねによって時計回り方向に付勢力を受けているが、アマチャ２１、３１により保持されている。
【００４０】
不図示の電磁石の通電を切って第１の駆動部材２のアマチャ２１の吸着を停止すると、不図示の駆動ばねの付勢力によって第１の駆動部材２は時計回り方向に回転する。そして、第１の羽根ユニット５が第１の駆動部材２に連動して開口１ａを閉鎖した状態から開放した状態である図１３へ移行する。第１の羽根ユニット５が走行を完了させると、シャッタ地板１に取り付けられたゴム部材７に第１の駆動部材２の駆動ピン２ａが当接し、第１の駆動部材２および第１の羽根ユニット５は停止する。
【００４１】
更に、不図示の電磁石の通電を切って第２の駆動部材３のアマチャ３１の吸着を停止すると、不図示の駆動ばねの付勢力によって第２の駆動部材３は時計回り方向に回転する。そして、第２の羽根ユニット６が第２の駆動部材３に連動して開口１ａを開放した状態から閉鎖した状態である図１４へ移行する。第２の羽根ユニット６が走行を完了させると、シャッタ地板１に取り付けられたゴム部材７に第２の駆動部材３の駆動ピン３ａが当接し、第２の駆動部材３および第２の羽根ユニット６は停止する。
【００４２】
第１の羽根ユニット５の走行と第２の羽根ユニット６の走行の開始タイミングは、ユーザが定めたシャッタ速度（秒時）に応じて変更され、そのシャッタ速度に従って撮像素子４０２に対して露光を行う。露光動作が完了すると、不図示のモータによってカムギア４が時計回り方向に駆動され、カム部４ｃが第１の駆動部材２のコロ２３を、カム部４ｄが第２の駆動部材３のコロ３３をそれぞれ駆動するチャージ動作が行われる。このとき、撮像素子４０２に対して露光されないように、第１の羽根ユニット５および第２の羽根ユニット６で開口１ａを閉鎖しながらチャージ動作が行われる。更に、ユーザが連続撮影を行う場合、図１２に示される撮影開始直前の状態へ移行する。一方、連続撮影を行わない場合、ライブビュー状態へ移行する。
【００４３】
このように本実施形態において、シャッタ装置（フォーカルプレンシャッタ１００）は、開口１ａが形成されたシャッタ地板１と、開口を閉鎖する閉鎖状態と開口を開放する開放状態とに往復移動可能な第１の遮光部材（第１の羽根ユニット５）とを有する。第１の遮光部材は、所定の状態において、開口から露出する第１の遮光幕（第２の羽根５２、第３の羽根５３、第４の羽根５４）と、開口から露出しない第２の遮光幕（第１の羽根５１）とを有する。第１の遮光幕と第２の遮光幕は、互いに異なる密度を有する。
【００４４】
好ましくは、第１の遮光幕は、第２の遮光幕よりも密度が高い材料からなる。また好ましくは、第１の遮光幕は、第２の遮光幕よりも耐熱性が高い材料からなる。また好ましくは、第１の遮光幕は金属材料からなり、第２の遮光幕は樹脂材料からなる。また好ましくは、閉鎖状態と開放状態との間の移動の際に、第１の遮光幕は、第２の遮光幕よりも移動距離が短い。
【００４５】
好ましくは、シャッタ装置は、閉鎖状態と開放状態とに往復移動可能な第２の遮光部材（第２の羽根ユニット６）を有する。第２の遮光部材は、所定の状態において、開口から露出する第３の遮光幕（第１の羽根６１）と、開口から露出しない第４の遮光幕（第２の羽根６２、第３の羽根、第４の羽根６４）とを有する。第３の遮光幕と第４の遮光幕は、互いに異なる密度を有する。より好ましくは、第３の遮光幕は、第４の遮光幕よりも密度が高くかつ耐熱性が高い材料からなる。また好ましくは、閉鎖状態と開放状態との間の移動の際に、第３の遮光幕は、第４の遮光幕よりも移動距離が長い。
【００４６】
好ましくは、所定の状態において、第１の遮光部材の第１の遮光幕および第２の遮光部材の第３の遮光幕により、開口が閉鎖されている。また好ましくは、所定の状態において、第１の遮光部材の第２の遮光幕および第２の遮光部材の第４の遮光幕は、開口から露出していない。また好ましくは、所定の状態は、撮像装置４００の電源がオフの状態である。
【００４７】
このように、撮像装置４００の電源がオフの状態において、耐熱性の高い第１の羽根ユニット５の第２の羽根５２、第３の羽根５３、および、第４の羽根５４と、第２の羽根ユニット６の第１の羽根６１とにより、シャッタ地板１の開口１ａを閉鎖する。このとき、開口１ａから露出していない第１の羽根ユニット５の第１の羽根５１と第２の羽根ユニット６の第２の羽根６２、第３の羽根６３、および、第４の羽根６４を密度の小さい材料とすることで、慣性モーメントを小さくすることができる。
【００４８】
本実施形態において、各羽根の駆動源を不図示の駆動ばねとして説明したが、駆動ばねの代わりにモータ等の電磁駆動源を用いてもよい。この場合、図１０に示される状態で羽根を固定することが可能な電磁アクチュエータ等を設けてもよい。また本実施形態において、第１の羽根ユニット５および第２の羽根ユニット６はそれぞれ４枚の羽根で構成されているが、これに限定されるものではなく、各羽根ユニットは３枚以下または５枚以上の羽根で構成されていてもよい。
【００４９】
本実施形態において、フォーカルプレンシャッタ１００は、第１の羽根ユニット５および第２の羽根ユニット６の２つの羽根ユニットを備えているが、本発明はこれに限定されるものではない。本発明は、例えば、１つの羽根ユニットのみを備えた電子先幕方式のフォーカルプレンシャッタにも適用可能である。
【００５０】
本実施形態によれば、遮光部材の耐熱性を損なうことなく慣性モーメントを低減したシャッタ装置および撮像装置を提供することができる。
【００５１】
以上、本発明の好ましい実施形態について説明したが、本発明はこれらの実施形態に限定されず、その要旨の範囲内で種々の変形及び変更が可能である。
【符号の説明】
【００５２】
１  シャッタ地板
１ａ  開口
５  第１の羽根ユニット（第１の遮光部材）
５１  第１の羽根（第２の遮光幕）
５２  第２の羽根（第１の遮光幕）
５３  第３の羽根（第１の遮光幕）
５４  第４の羽根（第１の遮光幕）
１００  フォーカルプレンシャッタ（シャッタ装置）
【図１】
2020086257.tif 000003
【図２】
2020086257.tif 000004
【図３】
2020086257.tif 000005
【図４】
2020086257.tif 000006
【図５】
2020086257.tif 000007
【図６】
2020086257.tif 000008
【図７】
2020086257.tif 000009
【図８】
2020086257.tif 000010
【図９】
2020086257.tif 000011
【図１０】
2020086257.tif 000012
【図１１】
2020086257.tif 000013
【図１２】
2020086257.tif 000014
【図１３】
2020086257.tif 000015
【図１４】
2020086257.tif 000016